(57)【特許請求の範囲】
【請求項１】
電気的接続のための接続部と光コネクタ接続用の光アダプタとを備えた光コンセントであって、光アダプタの上面に凸部を設け、その上面に自体が光アダプタであることを示す表示部を設けたことを特徴とする光コンセント。
【請求項２】
化粧パネルの内側に光コネクタ接続用の光アダプタを備え、前面側に電話用モジュラージャック、電源用コンセント、ＴＶ用アンテナ端子を含む電気的接続のための接続部が設けられ、前記光アダプタに対する光コネクタ挿入用の開口部を化粧パネルの片側一端における上下対称箇所に設けることで挿入口を左右どちらでも選択できるようにしてなる光コンセントであって、光アダプタの上面に凸部を設け、その上面に自体が光アダプタであることを示す表示部を設けたことを特徴とする光コンセント。
【請求項３】
化粧パネルには、前記光アダプタ上面の凸部を嵌挿させるための窓孔を設け、前記凸部上面の表示部をこの窓孔を通して化粧パネルの表側から視認できるようにした請求項２記載の光コンセント。
【発明の詳細な説明】
【技術分野】
【０００１】
本発明は、屋内に引き込まれた光屋外線または光屋内線と宅内光コードとの接続に使用する光コンセントに関する。
【背景技術】
【０００２】
光コンセントには、建物内の配管出口に埋め込み設置する光アウトレットと、建物内に露出設置する光ローゼットとがある。例えば、特許文献１に開示されているようなアウトレット構造による光コンセントの場合は、コンセントプレート前面に接続部を複数個設け、電話用モジュラージャックを配設する以外に電源用コンセント、ＴＶ用アンテナ端子等を配設するように、これらを組み合わせる形態とされ、コンセントプレートの下方側には、光回線終端装置（ＯＮＵ：Ｏｐｔｉｃａｌ  Ｎｅｔｗｏｒｋ  Ｕｎｉｔ）と接続する光学的接続の接続口、例えば、単心用又は多心用の光アダプタの光コネクタ接続口が下方に向くように取付けられ、光コネクタはプレート面と平行な下方から接続口に挿入して接続するものとされている。
【０００３】
また、この特許文献１においては、コンセントプレートにおける光アダプタの取付位置を上下に設け、使用しない側をキャップで塞いでおくことにより、光アダプタをコンセントプレートの左右いずれにも対応して取付可能にされている。
【先行技術文献】
【特許文献】
【０００４】
【特許文献１】特開２００８−２８１８０７号公報
【発明の概要】
【発明が解決しようとする課題】
【０００５】
しかしながら、上記した従来における特許文献１の光コンセントによる場合は、光回線終端装置と接続する光アダプタの光コネクタ接続口がコンセントプレートの下方に向けられているため、当該接続口がコンセントプレートの左右いずれにあるのか非常に分かり難いものであった。
【０００６】
また、光アダプタの光コネクタ接続口がコンセントプレートの左右いずれにあるのかを確認できるようにするために、当該光アダプタの設置位置を示す注意喚起シールをコンセントプレートの前面に貼ることも可能であるが、その注意喚起シールを貼り忘れたり、あるいは剥がれて無くなったりする場合が往々にしてある。このようなときにも前記同様、接続口の位置が分かり難いという問題が生ずる。
【０００７】
そこで、本発明は、叙上のような従来存した諸事情に鑑み案出されたもので、化粧パネルに注意喚起シールを貼り忘れたり、あるいは剥がれて無くなったりしても、光コネクタの挿入位置が分かり易いようにした光コンセントを提供することを目的とする。
【課題を解決するための手段】
【０００８】
上述した課題を解決するために、本発明にあっては、電気的接続のための接続部と光コネクタ接続用の光アダプタとを備えた光コンセントであって、光アダプタの上面に凸部を設け、その上面に自体が光アダプタであることを示す表示部を設けたことを特徴とする。
【０００９】
化粧パネルの内側に光コネクタ接続用の光アダプタを備え、前面側に電話用モジュラージャック、電源用コンセント、ＴＶ用アンテナ端子を含む電気的接続のための接続部が設けられ、前記光アダプタに対する光コネクタ挿入用の開口部を化粧パネルの片側一端における上下対称箇所に設けることで挿入口を左右どちらでも選択できるようにしてなる光コンセントであって、光アダプタの上面に凸部を設け、その上面に自体が光アダプタであることを示す表示部を設けたことを特徴とする。
【００１０】
化粧パネルには、前記光アダプタ上面の凸部を嵌挿させるための窓孔を設け、前記凸部上面の表示部をこの窓孔を通して化粧パネルの表側から視認できるようにしてある。
【発明の効果】
【００１１】
本発明によれば、光アダプタそのものに表示部があるので、従来のように化粧パネルに注意喚起シールを貼り忘れたり、当該シールが不用意に剥がれてしまったりしても光コネクタの挿入位置が分かり易いものとなった。
【００１２】
また、光アダプタに対する光コネクタ接続用の開口部を化粧パネルの片側一端における上下対称箇所に設けることで挿入口を左右どちらでも選択できるようにしてなる光コンセントにおいて、化粧パネルの取付方向を逆にして光コネクタの取り込み方向を左右逆にしても、注意喚起用の表示部の上下方向の向きを変更する必要がない。
【００１３】
さらに、化粧パネルには、前記光アダプタ上面の凸部を嵌挿させるための窓孔を設け、前記凸部上面の表示部をこの窓孔を通して化粧パネルの表側から視認できるようにしたので、光コネクタの挿入位置が容易に判別できる。すなわち、光アダプタはスイッチボックスの設置条件で装着位置が異なる（右端あるいは左端）ので、これに対応するためにも光アダプタ上面の凸部上面にある表示部に例えばプラグ挿入方向を示すマークや文字等の表示を付し、化粧パネルの窓孔を通して当該表示が見えることで、光コネクタの挿入位置が容易に判別でき、化粧パネル自体に注意喚起シール等の表示を施さなくても済むものである。
【図面の簡単な説明】
【００１４】
【図１】本発明を実施するための光コンセントの一例を示す分解斜視図である。
【図２】同じく光アダプタの一例を示し、（ａ）は上面図、（ｂ）は側面図、（ｃ）は側面図、（ｄ）は正面図、（ｅ）は下面図である。
【図３】同じく光コンセントの使用の一例を示すもので、（ａ）は正面図、（ｂ）は１８０度回転して使用した場合の正面図である。
【図４】（ａ）はキャップおよび光アダプタを取り付けていない空状態の光コンセントの図３（ａ）のＡ−Ａ拡大断面図、（ｂ）はキャップおよび光アダプタを取り付けた状態の光コンセントの図３（ａ）のＡ−Ａ拡大断面図である。
【図５】２口型の接続部を備えた光コンセントを示す分解斜視図である。
【図６】３口型の接続部を備えた光コンセントを示す分解斜視図である。
【発明を実施するための形態】
【００１５】
以下、図面を参照して本発明に係る光コンセントの一形態を説明する。
【００１６】
本発明に係る光コンセントは、図１、図４（ａ）に示すように、中央の縦長の開口部２ａを介して、例えば電話用モジュラージャックやＬＡＮ用モジュラージャック等を取付固定した状態で不図示のアウトレットボックスの前面開口部側にネジ止め固定されるネジ孔２ｂ、２ｃ、２ｄ、２ｅを有するアダプタベース２と、該アダプタベース２に前面から取付けられ、電話用モジュラージャックを含む電気的接続のための複数口の例えば３個が縦一列となった接続部４を形成してなる１口型の化粧パネル１とを備えている。
【００１７】
このアダプタベース２には、図１、図２、図４（ａ）、図４（ｂ）に示すように、例えば光回線終端装置側の光コネクタと使用者側の光コネクタとの二つの光コネクタ同士を接続するためのシャッタ機構Ｑを備えた光アダプタ５が当該アダプタベース２に形成されている保持爪部Ｈによって把持された状態で配されている。また、化粧パネル１には、光アダプタ５に対する使用者側光コネクタ接続用の開口部６が化粧パネル１の片側一端における上下対称箇所に設けられている。
【００１８】
光アダプタ５は、斜め上方向に向けて開口している一方の嵌合部Ａの開口端にシャッタ機構Ｑを備え、水平方向に開口している他方の嵌合部Ｂの開口端には、光アダプタ５の不使用の場合においては、密閉キャップ５ａ（図１参照）によって閉塞され、一方、光アダプタ５を使用する場合においては嵌合部Ｂから当該キャップ５ａが取り外されて化粧パネル１に取り付けられる。
【００１９】
すなわち、光アダプタ５は、図２（ａ）乃至図２（ｅ）、図４（ｂ）に示すように、上側壁１３ａと左右の側壁１３ｃ、１３ｄとが一体に形成して成り、底壁１３ｂが上側壁１３ａに対向して左右の側壁１３ｃ、１３ｄ間に取り付けられている。図２（ｂ）、図４（ｂ）に示すように、光アダプタ５の中央には略コ字枠状となったスリーブホルダ１９が配置され、その内側にスリーブ２０が内装されている。
【００２０】
一方の嵌合部Ａの開口端には、当該嵌合端と同じ斜め配置で当該嵌合端を閉鎖するためのシャッタ機構Ｑを構成するシャッタ板１１が内側に開閉可能となるように設けられている。すなわち、図２（ｃ）、図４（ｂ）に示すように、シャッタ板１１は、その下端左右対称位置に支軸１５を一体に突設し、該支軸１５の両端部を、底壁１３ｂ、左右側壁１３ｃ、１３ｄそれぞれの各凹部によって形成される軸孔１６に回動可能に支承させてある。
【００２１】
そして、図２（ａ）、図２（ｄ）、図４（ｂ）に示すように、シャッタ板１１下端と支軸１５とが連設されている略中央には矩形状の開口部１７が形成され、該開口部１７を介して、略Ｌ字形状に折曲して形成された板バネ１８を支軸１５中央に外嵌合させ、板バネ１８の一端を底壁３ｂに圧接させ、他端をシャッタ板１１の内側面に圧接させることで当該シャッタ板１１を閉鎖方向に付勢している。こうして開口部１７は、板バネ１８の弾性力によって常に閉止された状態となっており、一方の嵌合部Ａに光コネクタを嵌合させることによって、シャッタ板１１を板バネ１８の押圧力に抗して開放させるものとしてある。
【００２２】
また、光アダプタ５の上側壁１３ａにおけるシャッタ機構Ｑ寄り側には、略矩形平板突起状の凸部２１を備えるとともに、その上面に自体が光アダプタ５であることを示す表示部２２を備えている。この表示部２２は例えばプラグ挿入方向を示す図示の如きマークや文字等によって形成されるが、他の表示方式によって形成しても良いことは勿論である。そして、前記凸部２１に対応して、化粧パネル１の開口部６が位置する前面には略矩形開口状の窓孔２３が形成されており、該窓孔２３に内側から前記凸部２１が嵌挿されることで、光アダプタ５は化粧パネル１の開口部６内側で収容固定されると同時に、表示部２２が化粧パネル１の表側から窓孔２３を通して視認できるものとなっている。
【００２３】
さらに、開口部６は、前述したように化粧パネル１の片側一端における上下対称箇所に設けられており、一方の開口部６が使用可能とされている場合には、他方の開口部６は脱着可能としたキャップ９で閉塞される。
【００２４】
すなわち、このキャップ９は、図１に示すように、開口部６に挿入された際に弾性的に圧潰されるよう略Ｕ字状の可撓片で形成されている。そして、この片側表面には上記した凸部２１と同形の矩形平面突起状の凸部９ａが形成されており、この凸部９ａは上記した略矩形開口状の窓孔２３に対応している。したがって、キャップ９が開口部６に挿入された際には、図４（ｂ）に示すように、窓孔２３に凸部９ａが係合すると同時に、開口部６の上下両縁側にてキャップ９は固定される。一方、開口部６からキャップ９を取り出す場合には、内側から開口部６外方に向けてキャップ９を強制的に押し出せば良い。
【００２５】
なお、図１に示すように、上下対称箇所に設けられた開口部６および窓孔２３に対応して、上下一対の貼着部３１を化粧パネル１の片側一端に設け、このうちの使用される開口部６に対応する貼着部３１に注意喚起シールＳを貼り付ることができる。
【００２６】
また、上記した構成によって使用者側の光コネクタの取出方向は化粧パネル１の１８０度回転により左右共に可能となる。すなわち、図３に示すように、使用者側の光コネクタの接続位置を壁に向かって右端（図３（ａ）参照）あるいは左側（図３（ｂ）参照）に配置したい場合には、化粧パネル１を１８０度回転させることによって右端配置、左端配置いずれかの位置を選べば良い。
【００２７】
さらに、本発明に係る光コンセントは、上述したように３個の接続部４が縦一列となった１口型の化粧パネル１である場合の他に、図５に示すように、３個の接続部４が縦二列となった２口型の化粧パネル１である場合、図６に示すように、３個の接続部４が縦三列となった３口型の化粧パネル１である場合それぞれに対応させることができる。このとき、アダプタベース２等の機構部品に寸法上の変更があった場合にはスペーサ３を使用することとなる。
【００２８】
次に、以上のように構成された最良の形態についての組立、使用の一例について説明する。
【００２９】
先ず、例えば電話用モジュラージャックやＬＡＮ用モジュラージャック等を取付固定した状態でアウトレットボックスの前面開口部側にネジ止め固定されているアダプタベース２と壁面との間に形成されている隙間を利用して光屋内線が取り出される。また、必要に応じてアダプタベース２のネジを緩めてアダプタベース２と壁面との間に充分な隙間を確保しておく。
【００３０】
そして、図１に示すように、化粧パネル１の接続部４は、このマスクプレート２７の不要な位置のものを内側から押し出して外して使用する。例えば、２個のマスクプレート２７のうちの１個を抜き、外して使用し、残りの１個のマスクプレート２７は付けたまま等とする。
【００３１】
化粧パネル１は、これを１８０°回転しての設置に伴い光アダプタ５の位置を左右いずれかに変更してアダプタベース２に取り付ける。すなわち、図３（ａ）に示すように、光アダプタ５の位置を化粧パネル１の左側に配置させた場合には、左下に位置する開口部６が使用され、一方、図３（ｂ）に示すように、光アダプタ５の位置を化粧パネル１の右側に配置させた場合には、右下に位置する開口部６が使用される。なお、このときの光アダプタ５の他方の嵌合部Ｂには光回線終端装置側の光コネクタ（不図示）が嵌合接続されている。
【００３２】
この開口部６に光アダプタ５を取付る場合には、光アダプタ５の上側壁１３ａにおける凸部２１を化粧パネル１の開口部６近傍の窓孔２３に嵌挿させることで、光アダプタ５は化粧パネル１の開口部６内側で収容固定されると同時に、自体が光アダプタ５であることを促す例えばプラグ挿入方向を示す図示の如きマークあるいは文字を表示した表示部２２が窓孔２３を通して化粧パネル１の表側から視認できるものとなる。
【００３３】
一方、使用されない他方（上方）の開口部６は脱着可能としたキャップ９で閉塞される。このキャップ９が開口部６に挿入された際には、窓孔２３に凸部９ａが係合してキャップ９は固定される。
【００３４】
なお、必要に応じて、使用される開口部６に対応する貼着部３１には注意喚起シールＳが貼り付けられる。
【００３５】
化粧パネル１の開口部６への使用者側の光コネクタの挿入に際し、光アダプタ５の一方の嵌合部Ａの開口端に使用者側の光コネクタを嵌合させる前では、シャッタ機構Ｑは、板バネ１８により当該開口端を閉鎖している状態となっているが、使用者側の光コネクタの差し込みによってシャッタ機構Ｑが押され、板バネ１８の弾発力に抗して開口端内側に当該シャッタ機構Ｑが傾倒し、水平状態となることで、当該光コネクタはスリーブホルダ１９の一端に嵌合される。こうして光回線終端装置側の光コネクタと接続される。
【００３６】
なお、上記した実施形態においては、光コンセントとして、建物内の配管出口に埋め込み設置する光アウトレット構成について説明したが、これに限らず、建物内に露出設置する光ローゼットに本発明による光コンセントを採用しても良い。
【符号の説明】
【００３７】
Ａ                      一方の嵌合部
Ｂ                      他方の嵌合部
Ｑ                      シャッタ機構
Ｓ                      注意喚起用シール
１                      化粧パネル
２                      アダプタベース
２ａ                    開口部
２ｂ、２ｃ、２ｄ、２ｅ  ネジ孔
３                      スペーサ
４                      接続部
５                      光アダプタ
５ａ                    密閉キャップ
６                      開口部
９                      キャップ
９ａ                    凸部
１１                    シャッタ板
１３ａ                  上側壁
１３ｃ、１３ｄ          左右側壁
１３ｂ                  底壁
１５                    支軸
１６                    軸孔
１７                    開口部
１８                    板バネ
１９                    スリーブホルダ
２１                    凸部
２２                    表示部
２３                    窓孔
２７                    マスクプレート
３１                    貼着部
【図１】
0005390582.tif 000002
【図２】
0005390582.tif 000003
【図３】
0005390582.tif 000004
【図４】
0005390582.tif 000005
【図５】
0005390582.tif 000006
【図６】
0005390582.tif 000007